(57)【要約】【課題】既存のＵＲＬサイトに接続することなく、購入したい商品を容易に閲覧し選択できる商品販売用記録媒体を得る。【解決手段】商品１０を販売する店舗情報が含まれたＩＤ番号が記載された紙媒体１２とともに商品１０に添付されて販売され、前記商品に関連する関連商品情報が記録された商品販売用記録媒体１１であって、前記関連商品情報から商品を選択した場合に、その選択結果を所定の連絡（サーバー５０）先にインターネット４０を介して送信可能とするプログラムを格納して成ることにより、販売された商品１０に関連する商品としてどのような種類のものがあるかについて、その詳細な内容を容易に閲覧することが可能となる。【選択図】  図１
2005018700.tif 000002
【特許請求の範囲】
【請求項１】
商品に添付されて販売され、画像を使用して前記商品の取り扱いを説明する当該商品情報が記録されるとともに、前記商品に関連する関連商品情報が記録されたことを特徴とする商品販売用記録媒体。
【請求項２】
商品に添付されて販売され、前記商品に関連する関連商品情報が記録された商品販売用記録媒体であって、
前記関連商品情報から商品を選択した場合に、その選択結果を所定の連絡先にインターネットを介して送信可能とするプログラムを格納して成ることを特徴とする商品販売用記録媒体。
【請求項３】
前記商品を販売する店舗情報が含まれたＩＤ番号が記録された請求項１に記載の商品販売用記録媒体。
【請求項４】
前記商品を販売する店舗情報が含まれたＩＤ番号が記載された紙媒体を添付した請求項１に記載の商品販売用記録媒体。
【請求項５】
商品を販売するに際して、該商品を販売する店舗情報が含まれたＩＤ番号及び前記商品に関連する関連商品情報が記録された商品販売用記録媒体を商品に添付して販売し、
前記商品記録媒体をユーザーがパソコン上で立ち上げて前記関連商品情報を閲覧して購入希望商品を選択し、
前記選択及び前記ＩＤ番号がユーザーによる購入情報として、予め記録媒体に登録されている所定の連絡先にインターネットを介して送信し、
前記連絡先でどの店舗にどの商品を搬入すべきかを把握する
ことを特徴とする商品販売方法。
【請求項６】
商品を販売するに際して、該商品に関連する関連商品情報が記録された商品販売用記録媒体及び販売した店舗情報が含まれたＩＤ番号が記録された紙媒体を商品に添付して販売し、
前記商品記録媒体をユーザーがパソコン上で立ち上げて前記関連商品情報を閲覧して購入希望商品を選択するとともに、前記紙媒体に記載されたＩＤ番号の入力を行い、
前記選択及びＩＤ番号がユーザーによる購入情報として、予め記録媒体に登録されている所定の連絡先にインターネットを介して送信し、
前記連絡先でどの店舗にどの商品を搬入すべきかを把握する
ことを特徴とする商品販売方法。
【発明の詳細な説明】
【０００１】
【発明の属する技術分野】
本発明は、ある商品を購入した場合に、その商品に関連する商品（関連商品）の購入のための情報を記録した記録媒体及び関連商品の販売方法に関し、特に、既存のＵＲＬサイトに接続することなく、購入したい商品を容易に閲覧し選択できる商品販売用記録媒体及び商品販売方法に関する。
【０００２】
【従来の技術】
商品を販売する場合、一般的には店舗に商品を陳列し、購入者が商品を選択してレジにて精算する方法がとられている。
【０００３】
【発明が解決しようとする課題】
しかしながら、店舗における販売方法では、体積の大きい商品については販売効率から敬遠される傾向があった。特に、店舗面積の狭いコンビニエンスストアにおいて、例えばガーデニング用具，玩具等のかさばる商品を扱うことは少なかった。
【０００４】
また、近年のインターネットの普及により、商品についての取扱い説明書中にＵＲＬサイトのアドレスを記載することが行われている。商品を購入したユーザーは、インターネットを介してＵＲＬサイトに接続することでＵＲＬサイト内の商品カタログを閲覧でき、関連する商品を選択し、ＵＲＬサイト側へ電子的に送信することで商品の購入を行うことができる。この際に、氏名・送付先などの個人情報やクレジットカード決済を行うための課金情報も必要に応じて送信する。
【０００５】
インターネットで商品を購入する場合には、商品販売を行っているＵＲＬサイトのアドレスを入力したり、検索したりする必要があり、煩雑であるという一面があった。
【０００６】
本発明は上記実情に鑑みてなされたもので、既存のＵＲＬサイトに接続することなく、購入したい商品を容易に閲覧し選択できる商品販売用記録媒体及び商品販売方法を提供することを目的とする。
【０００７】
【課題を解決するための手段】
上記目的を達成するため請求項１の商品販売用記録媒体は、商品に添付されて販売され、画像を使用して前記商品の取り扱いを説明する当該商品情報、及び、前記商品に関連する関連商品情報が記録されたことを特徴としている。
【０００８】
請求項２は、商品に添付されて販売され、前記商品に関連する関連商品情報が記録された商品販売用記録媒体であって、前記関連商品情報から商品を選択した場合に、その選択結果を所定の連絡先にインターネットを介して送信可能とするプログラムを格納して成ることを特徴としている。
【０００９】
請求項３は、請求項１に記載の商品販売用記録媒体において、前記商品を販売する店舗情報が含まれたＩＤ番号が記載されたことを特徴としている。
【００１０】
請求項４は、請求項１に記載の商品販売用記録媒体において、前記商品を販売する店舗情報が含まれたＩＤ番号が記載された紙媒体を添付したことを特徴としている。
【００１１】
請求項５の商品販売方法は、次の手順によって行われることを特徴としている。
商品を販売するに際して、該商品を販売する店舗情報が含まれたＩＤ番号及び前記商品に関連する関連商品情報が記録された商品販売用記録媒体を商品に添付して販売する。
前記商品記録媒体をユーザーがパソコン上で立ち上げて前記関連商品情報を閲覧して購入希望商品を選択する。
前記選択及び前記ＩＤ番号がユーザーによる購入情報として、予め記録媒体に登録されている所定の連絡先にインターネットを介して送信する。
前記連絡先でどの店舗にどの商品を搬入すべきかを把握する。
【００１２】
請求項６の商品販売方法は、次の手順によって行われることを特徴としている。
商品を販売するに際して、該商品に関連する関連商品情報が記録された商品販売用記録媒体及び販売した店舗情報が含まれたＩＤ番号が記録された紙媒体を商品に添付して販売する。
前記商品記録媒体をユーザーがパソコン上で立ち上げて前記関連商品情報を閲覧して購入希望商品を選択するとともに、前記紙媒体に記載されたＩＤ番号の入力を行う。
前記選択及びＩＤ番号がユーザーによる購入情報として、予め記録媒体に登録されている所定の連絡先にインターネットを介して送信する。
前記連絡先でどの店舗にどの商品を搬入すべきかを把握する。
【００１３】
本発明によれば、商品販売用記録媒体は商品に添付されて販売されるため、販売された商品に関連する商品にどのような種類のものがあるかについて、詳細な内容を容易に閲覧することが可能となる。
【００１４】
また、商品を販売した店舗情報が含まれたＩＤ番号が記録媒体に記録したり、ＩＤ番号が記載された紙媒体を添付することで、商品購入用記録媒体をユーザーがパソコン上で立ち上げて商品の購入情報を予め記録媒体に登録されている所定の連絡先に送信する場合、前記ＩＤ番号を入力して送信することで、前記連絡先側でどの店舗へどの商品を搬入すべきかを把握することができる。
【００１５】
【発明の実施の形態】
本発明の実施の形態の一例としての商品販売用記録媒体及びこれを使用した商品販売方法について、図面を参照しながら説明する。
本発明の商品販売用記録媒体１１は、ＣＤ−ＲＯＭから成り、商品１０の販売に際して商品１０に添付してユーザーに配布される形態をとるものである。また、商品販売用記録媒体１１とともに紙媒体１２が一緒に配布される。
【００１６】
この商品販売用記録媒体１１には、この商品の取り扱いを説明するための当該商品情報と、この商品に関連する関連商品情報が記録され、当該商品情報及び関連商品情報がディスプレイ装置２及びＣＤドライブ３を備えたパソコン１で閲覧できるようになっている。
当該商品情報には、商品１の取り扱い説明を行うための画像情報が記録されている。したがって、商品の使用方法等を実際の商品を用いてビジュアル的に表示させることができ、取り扱いを理解に容易させることができる。
【００１７】
関連商品情報は、例えば関連商品が系統別に分類され、各関連商品についての説明，使用法，注意点等の詳細情報（動画や静止画像を含む）から構成され、また、関連商品の情報がリンク表示されている。
この関連商品情報については、店頭販売による場合に比較して、パッケージ等のスペースに制限が無いので、商品についての詳細情報を提供することが可能となる。
【００１８】
商品に添付された紙媒体１２には、前記商品が販売された店舗の店舗情報（店舗名及び店舗場所が特定できる情報）が含まれたアルファベット及び数字から成るＩＤ番号１３が記載されている。
【００１９】
商品販売用記録媒体１１は、パソコン１上で立ち上げ商品情報から商品の選択を行うとともに、紙媒体１２に記載されたＩＤ番号１３を入力できるようになっている。
具体的には、商品情報を閲覧し購入したい商品を選択した場合に、図３に示すような買い物かごの画面３０が表示される。買い物かご画面３０には、選択商品３１が明示されるとともに、ＩＤ番号入力窓３２，連絡先記入窓３３、商品カタログ再表示窓３４（商品カタログに戻るための窓），購入情報送信窓３５が表示される。
また、商品販売用記録媒体１１には、前記選択及びＩＤ番号を記録媒体１１に記録されている所定の連絡先にインターネット４０を介して送信可能とするプログラムが格納されている。
【００２０】
したがって、買い物かご画面３０のＩＤ番号入力窓３２に紙媒体１２に記載されたＩＤ番号１３を入力し、注文者の氏名や連絡先を連絡先記入窓３３に記入し、購入情報送信窓３５をクリックすることで、買い物かご画面３０に表示された情報が所定の連絡先にインターネット４０を介して送信することができる。
この場合の送信先としては、例えば、関連商品の製造・販売を行う会社のＵＲＬサイトのアドレスが記録され、ＵＲＬを開設しているサーバー５０に送信される。
【００２１】
続いて、商品販売用記録媒体１１を使用した商品の販売方法について説明ずる。
購入した商品１０に添付された商品販売用記録媒体１１をユーザーがパソコン１上で立ち上げると、ディスプレイ部２上に購入した商品の取り扱いを説明する当該商品情報閲覧画面２１と、関連する商品の関連商品情報閲覧画面２２を選択するための選択画面２０が表示される。
当該商品情報閲覧画面２１を選択した場合、当該商品の取り扱いに関する説明が画像とともに表示される。
【００２２】
また、関連する商品の関連商品情報閲覧画面２２を選択した場合、更にどのような関連商品の情報を得るのかを系統別に順次選択するようになっている。関連商品の選択を行った場合には、買い物かご画面３０が表示される。
したがって、ユーザーは、パソコン１上でＵＲＬのアドレスを入力又はインターネットでの検索をすることなく、当該商品１０の取り扱い説明の詳細情報や、関連商品の詳細情報を閲覧することができる。
【００２３】
当該商品と関連商品との関係は、具体的には、店舗で販売する商品（例えば、直物の種）を店舗内で収納場所をとらない小さい商品とし、記録媒体で閲覧できる関連商品を大型の商品（鉢，仕切り板等のガーデニング関係用具）にする。
【００２４】
ユーザーは商品情報閲覧画面において、購入を希望する一つ若しくは複数の商品を選択する。各選択によりＩＤ番号入力窓３２を有する買い物かご画面３０が表示されるが、続けて商品を選択する場合には、商品カタログ再表示窓３４をクリックしてカタログ画面を再度表示させ、選択を繰り返せばよい。
次に、買い物かご画面３０のＩＤ番号入力窓３２に、購入した商品１０に添付された紙媒体１２に記載されているＩＤ番号１３を入力し、注文者の氏名や連絡先を連絡先記入窓３３に入力する。
【００２５】
そして、画面上の情報送信窓（購入決定ボタン）３５をクリックすることで、前記した購入情報及びＩＤ番号が予め記録媒体１１に登録されている所定の連絡先にインターネット４０を介して送信される。
連絡先では、送信を受け、商品引渡し可能日を送信元のメールアドレスに返信する。また、連絡先側では、送信されたＩＤ番号１３に店舗情報が含まれているので、どの店舗へ商品を搬入すべきかを把握することができる。
ユーザーは返信されたメールでいつごろ店舗に行けば商品を購入することができるが解る。
【００２６】
また、一度注文を行った場合には、連絡先側からユーザー側へ注文者を特定するためのパスワード（暗証番号）が送信元のメールアドレスへインターネットを介して送信され、以後、ユーザー側で同様の商品１０（商品販売用記録媒体１１付きの商品）を購入した場合で関連商品を注文するに際しては、連絡先記入窓３３へは連絡されたパスワードを入力するだけでよい。また、販売者（連絡先）側では、パスワード毎で商品購入情報等の顧客の管理を行うことができる。
【００２７】
上述の例の商品販売用記媒体１１は、記録媒体としてＣＤ−ＲＯＭを使用し、パソコン上で操作して購入商品を選択し、購入商品情報が送信されるようにしたが、記録媒体としてディジタルビデオディスク（ＤＶＤ）を使用し、ＤＶＤプレーヤーで商品カタログのみを再生するようなものであってもよい。
この場合、インターネットを介しての購入情報の送信はできないが、ＤＶＤプレーヤーにより再生できるのでパソコンが不要であるという利点がある。
また、商品販売用記録媒体１１は、ＣＤ−ＲＯＭやＤＶＤのようなディスク型に限定されるものでなく、電子的に情報を記録し再生可能なものであれば、パソコンに接続可能なメモリステックのような小型のものでも良い。
【００２８】
また、上述の例では、ＩＤ番号１３を紙媒体１２に記載し、これを記録媒体１１とともに商品１０に添付するようにしたが、ＩＤ番号１３自体を商品販売用記録媒体１１に記録するものであっても良い。この場合、ＩＤ番号は購入情報の送信時に自動的に相手側（所定の連絡先）に通知されるようプログラムが商品販売用記録媒体１１に記録されている。
【００２９】
上述の商品販売方法によれば、大型商品の商品情報をＣＤ−ＲＯＭ等の記録媒体内に収めるので、大型商品を店舗に配置させることなく販売することが可能となる。
また、商品カタログに今後予定される新商品情報等やその店舗のイベントその他の情報を収納することで、購買意欲を高めることができ、商品に付加価値を追加できる。
また、商品販売用記録媒体に、購入商品に関する役に立つ知識の提供や役に立つサイトへの無料アクセス権利を含めることで宣伝広告媒体としても利用することができる。
【００３０】
【発明の効果】
本発明によれば、商品販売用記録媒体は商品に添付されて販売されるため、販売された商品に関連する商品にどのような種類のものがあるかについて、詳細な内容を容易に閲覧することが可能となる。
【図面の簡単な説明】
【図１】本発明の一例である商品購入用記録媒体が添付された商品全体を示す外観説明図である。
【図２】商品販売方法の全体を説明するための構成説明図である。
【図３】パソコン上で表示される買い物かご画面を説明するための画面説明図である。
【図４】パソコン上で表示される選択画面を説明するための画面説明図である。
【符号の説明】
１…パソコン、  ２…ディスプレイ部、  ３…ＣＤドライブ、
１０…商品、  １１…商品販売用記録媒体、  １２…紙媒体、
１３…ＩＤ番号、
２０…選択画面、
２１…当該商品情報閲覧画面、  ２２…関連商品情報閲覧画面、
３０…買い物かご画面、  ３１…選択商品、
３２…ＩＤ番号入力窓、  ３３…連絡先記入窓、
３４…商品カタログ再表示窓、  ３５…購入情報送信窓、
４０…インターネット、  ５０…サーバー
【図１】
2005018700.tif 000003
【図２】
2005018700.tif 000004
【図３】
2005018700.tif 000005
【図４】
2005018700.tif 000006